(57)【要約】      （修正有）【課題】スポーツ競技者やファンの方々が使用済みボールを自分にとって記念すべき品物や想い出の品物として残したいというときに、使用済みボールの表皮を、日常的に使用する身の回り品であるポーチや財布等の袋部の生地として使用した袋物を提供する。【解決手段】収納物を収納可能な袋部２を有する袋物１であって、使用済みスポーツ競技用ボール３から切り取った表皮４を生地とした袋部２が形成されている。【選択図】図１
0003217885.tif 000002
【実用新案登録請求の範囲】
【請求項１】
収納物を収納可能な袋部を有する袋物であって、
使用済みスポーツ競技用ボールから切り取った表皮を生地とした前記袋部が形成されていることを特徴とする袋物。
【請求項２】
使用済みスポーツ競技用ボールの表面に現れていた、模様、凹凸及び色彩のパターン、並びに、文字又は図形を、そのまま前記袋物の表面に再現させたことを特徴とする請求項１に記載の袋物。
【考案の詳細な説明】
【技術分野】
【０００１】
本考案は、バレーボールやバスケットボール等のスポーツ競技に使用されたボールの表皮を生地として、収納物を収納する袋部が作られたバンドバック、カバン、トートバック又は財布等の袋物に関する。
【背景技術】
【０００２】
特許文献１には、中心に球形のコアと、そのコアを囲みかつ外側に球形のディンプルのついた最初の全直径をもつカバーがついた使用済みのゴルフボールから再生ゴルフボールを作る方法であって、この方法は最初の直径より小さい第二の直径の中間段階のボールをつくるために、上述の使用済みゴルフボールのカバーの一部を最初均一に除去し、再生ゴルフボールを供給するために新しいディンプルのついたカバーと前記中間段階のゴルフボールを形成することを特徴とする再生用に回収したゴルフボールを使って新品同様なゴルフボールを作る方法が開示されている。
【先行技術文献】
【特許文献】
【０００３】
【特許文献１】特開平７−１００２２７号公報
【考案の概要】
【考案が解決しようとする課題】
【０００４】
特許文献１に記載の技術は、使用済みゴルフボールを再利用する技術ではあるが、新品同様にするリユースの技術であるため、スポーツ競技者が使用済みボールを自分にとって記念すべき物や想い出の物として残したいときにはそのボール自体を自宅等に保管することしかできないという問題があった。
【０００５】
本考案はこうした問題に鑑み創案されたもので、スポーツ競技者やファンの方々が使用済みボールを自分にとって記念すべき品物や想い出の品物として残したいというときに、使用済みボールの表皮を、日常的に使用する身の回り品であるポーチや財布等の袋部の生地として使用した袋物を提供することを課題とする。
【課題を解決するための手段】
【０００６】
本考案におけるスポーツ競技に用いられるボールとは、バレーボール、バスケットボール、アメリカンフットボール、ラグビーボール、サッカーボール、ハンドボール、テニスボール、ドッジボール、ビーチボール、硬式野球ボール、軟式野球ボール、ソフトボール等のスポーツ競技用ボールを意味する。そして、ボールの表皮生地とは、使用済みの前記スポーツ競技用ボールの表皮生地を意味する。
【０００７】
本考案における袋物とは、カバン、バンドバック、メッセンジャーバック、トートバック、４ＷＡＹバック、スポーツバック、シューズケース、ポシェット、ショルダーバック、ボディバック、クラットバック、リュックサック、肩掛けバック、手提げバック、サコッシュ、ラウンド財布、コインケース、ミニコインケース、マルチケース、ランチポーチ、ポーチ、名刺入れ、カードケース、ミニマムケース、ペンケース、スマホケース、ペットボトルホルダー、カップホルダー、グラスケース、携帯電話ケース、肩掛けカバン、キーケース、財布、小物入れ等の収納物を収納する袋物を意味する。
【０００８】
請求項１に記載の袋物は、収納物を収納可能な袋部を有する袋物であって、使用済みスポーツ競技用ボールから切り取った表皮を生地とした前記袋部が形成されていることを特徴とする。
【０００９】
請求項２に記載の袋物は、使用済みスポーツ競技用ボールの表面に現れていた、模様、凹凸及び色彩のパターン、並びに、文字又は図形を、そのまま前記袋物の表面に再現させたことを特徴とする。
【考案の効果】
【００１０】
請求項１に記載の袋物は、スポーツ競技者やファンの方々が使用済みボールを自分にとって記念すべき物や想い出の品物として残したいというときに、そのスポーツ競技に使用される使用済みボールを、外出時にも使用できる、日常的に使用する身の回り品であるポーチや財布等の袋物に造りかえるという顕著な効果を奏する。
【００１１】
また、使用済みスポーツ競技用ボールは、市町村でゴミ分別が異なるがいずれの市町村においてもゴミとして廃棄処分されていたものをリサイクルさせ再資源化するという顕著な効果を奏する。
【００１２】
請求項２に記載の袋物は、使用済みスポーツ競技用ボールの表面に現れていた模様、凹凸及び色彩のパターン、ならびに文字又は図形を、そのまま前記袋物の表面に再現させるので、スポーツ競技者やファンの方々のスポーツに対する心を満足させるという顕著な効果を奏する。前記ボールの表面に現れているパターンについては、サッカー、バスケット、バレーボール等のスポーツ競技ごとに、使用されるボールの形、表面の模様や凹凸や色彩のパターンにそれぞれ異なる特徴があるので、ボールの表皮生地を作りなおした袋物がどのスポーツ競技用のものであるかがすぐにわかるという顕著な効果を奏する。
【図面の簡単な説明】
【００１３】
【図１】使用済みスポーツ競技用ボールの表皮生地から袋物までの過程の説明図で、（ａ）が使用済みスポーツ競技用ボールを示す図であり、（ｂ）が前記使用済みスポーツ競技用ボールから表皮生地を切り取った後の状態を示す図であり、（ｃ）が前記切り取った表皮生地のパーツを示す図であり、（ｄ）が前記切り取った表皮生地を主体にして作った袋物（ポーチ）を示す説明図である。
【図２】図１（ｃ）のＡ−Ａ断面図で切り取った表皮生地の断面を示す断面説明図である。
【図３】本考案の使用済みスポーツ競技用ボールの表皮生地を用いた袋物を説明する図であり、（ａ）が使用済みバスケットボール及び切り取り範囲を示す図であり、（ｂ）が前記切り取った範囲の表皮生地を主体に作ったポーチ（袋物）を示す図である。
【図４】本考案の使用済みスポーツ競技用ボールの表皮生地を用いた袋物を説明する図であり、（ａ）が使用済みバレーボール及び切り取り範囲を示す図であり、（ｂ）が前記切り取った範囲の表皮生地を主体に作ったコインケース（袋物）を示す図である。
【図５】本考案の使用済みスポーツ競技用ボールの表皮生地を用いた袋物を説明する図であり、（ａ）が使用済みバレーボール及び切り取り範囲を示す図であり、（ｂ）が前記切り取った範囲の表皮生地を主体に作ったポーチ（袋物）を示す図である。
【考案を実施するための形態】
【００１４】
本考案の袋物１は、図１（ｄ）、図３（ｂ）、図４（ｂ）、図５（ｂ）に示すように、収納物を収納可能な袋部２を有する袋物１であって、使用済みスポーツ競技用ボール３から切り取った表皮４を生地とした前記袋部２が形成されている。
【００１５】
本考案の袋物１は、図１（ａ）に示すような使用済みスポーツ競技用ボール３の表皮を生地に使用する。図１（ａ）には使用済みスポーツ競技用ボール３としてサッカーボールを図示している。サッカーボールには表面に一般的に五角形状の模様が形成されており、前記五角形の色が例えば白色と黒色の組合せがあったり、前記五角形とは関係なく図柄を描いたりされている。そして、使用済みスポーツ競技用ボール３の想い出の部分である、例えば黒色と白色の五角形が際立つ範囲を切り取り範囲３とする。
【００１６】
そして、前記切り取り範囲３を切断手段で切り取ると、図１（ｂ）に示すように使用済みスポーツ競技用ボール３の表面側に穴部６が形成され、図１（ｃ）に示すような表皮生地４が得られる。
【００１７】
前記表皮生地４は、図２に示すように、一般的に２層構造をしており、前記２層構造として、表皮基材８と被覆層７の２層構造を説明する。この２層構造の場合の一例として、前記表皮基材８としては、天然皮革、不織布、編織物、繊維絡合体と高分子重合体からなる皮革様シート等の各種の繊維等を主体とする表皮基材８が該当する。また、前記被覆層７は、表面樹脂層であり、高分子弾性体からなる層が該当し、ポリウレタン系樹脂、アミノ酸系樹脂、コラーゲンやシルク等の粉体を利用したもの等が該当する。前記被覆層７には多孔質状であったり、凹凸形状が作られたり、色彩を施されているものがある。
【００１８】
したがって、前記使用済みのスポーツ競技用ボール３の表皮生地４は、各スポーツ競技別に特有の立体感のあるデザイン性に優れた外観を有し、表面摩耗強度が高く、耐久性を有し、水に濡れた際のノンスリップ性を有し、衝撃に対するソフトなクッション性を有し、撥水性を有するという機能を期待できる。
【００１９】
また、使用済みのスポーツ競技用ボール３の表面には、スポーツ競技用ボール業界のロゴマークや図形、あるいはスポーツイベントのマークや文字が記載されており、これらをそのまま袋物１の表皮生地４として使用することにより、スポーツ愛好家にはたまらない喜びが得られることが期待できる。
【００２０】
また、本考案の使用済みスポーツ競技用ボール３の表皮生地４を用いた袋物１の開口部には止水ファスナー（図示なし）を使用し、防水効果が高く雨に強い袋物１にすることもできる。
【００２１】
また、本考案の袋物１は、使用済みスポーツ競技用ボール３の表面に現れていた、模様、凹凸及び色彩のパターン、並びに、文字又は図形を、そのまま前記袋物１の表面に再現させた袋物１である。
【００２２】
図１（ｄ）に示すように、図１（ｃ）に示すような使用済みサッカーボールの表皮生地４を生地として縫製等により袋部２を形成させたポーチである袋物１を作る。これにより、サッカーボールの特徴である五角形模様の組合せで前記五角形が白黒模様のパターンをそのままポーチである袋物１の表面に再現させている。
【００２３】
よって、袋物１であるポーチを見た第三者はサッカーボールの表皮を活かしたポーチであることが容易に認識でき、前記袋物１であるポーチの所有者のスポーツ選手又はスポーツファンは自分の想い出の品物として又は記念の品物として身近で使用でき外出時にも使用することができることから大変満足を得られることが期待できる。
【００２４】
次に、使用済みスポーツ競技用ボール３としてバスケットボールを、袋物１としてコインケースの事例を説明する。図３（ａ）に示すように、バスケットボールの表面の特徴的パターンは全面に亘って梨地模様で茶色系統で色彩され黒色の線が描かれているパターンである。例えば、この特徴的なパターンが含まれるように図３（ａ）に示すように切り取り範囲５で切り取った表皮生地４を縫製して、図３（ｂ）に示すように袋部２を形成したコインケースである袋物１を作る。
【００２５】
次に、使用済みスポーツ競技用ボール３としてバレーボールを、袋物１としてポーチの事例を説明する。図４（ａ）に示すように、バレーボールの表面の特徴的パターンは２色又は３色の帯状体を組み合わせたパターンである。例えば、この特徴的なパターンが含まれるように図４（ａ）に示すように切り取り範囲５で切り取った表皮生地４を縫製して、図４（ｂ）に示すように３色パターンを再現させた袋部２を形成したポーチである袋物１を作る。
【００２６】
次に、使用済みスポーツ競技用ボール３としてバレーボールを、袋物１としてポーチの事例を説明する。図５（ａ）に示すように、バレーボールの表面の特徴的パターンは２色又は３色の帯状体を組み合わせたパターンである。例えば、この特徴的なパターンを構成する１色の範囲が含まれるように図５（ａ）に示すように切り取り範囲５で切り取った表皮生地４を縫製して、図５（ｂ）に示すように袋部２を形成したポーチである袋物１を作る。
【符号の説明】
【００２７】
１        袋物
２        袋部
３        ボール
４        表皮生地
５        切り取り範囲
６        穴部
７        被膜層
８        表皮基材
【図１】
0003217885.tif 000003
【図２】
0003217885.tif 000004
【図３】
0003217885.tif 000005
【図４】
0003217885.tif 000006
【図５】
0003217885.tif 000007